【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
取得条件の成立に基づいて、第１情報を取得する取得手段と、
その取得手段により取得された前記第１情報が記憶される判定情報記憶手段と、
その判定情報記憶手段に記憶された前記第１情報を判定する判定手段と、
その判定手段に判定されるよりも前に、前記判定情報記憶手段に記憶された前記第１情報に基づく事前判定を実行する事前判定手段と、
その事前判定手段による事前判定結果を示す事前情報を前記取得条件の成立毎に記憶する事前情報記憶手段と、
前記判定手段による判定結果を示すための識別情報が表示される表示手段と、
その表示手段に前記識別情報を動的表示させる表示制御手段と、
前記識別情報を前記表示手段に動的表示させる判定遊技の動的表示態様として複数の動的表示態様を記憶した動的表示態様記憶手段と、
その動的表示態様記憶手段から、前記判定結果に基づいて、一の動的表示態様を決定する動的表示態様決定手段と、
前記事前情報記憶手段に記憶された前記事前情報に基づいて、特定表示態様を前記表示手段に表示させる回数を決定する特定表示回数決定手段と、
前記特定表示態様を表示するか否かの判別を前記事前情報に基づいて実行する特定判別手段と、を有し、
前記特定表示回数決定手段は、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を決定するものであり、
前記特定表示態様は、前記特定表示回数決定手段により前記回数が決定された場合に、前記判定情報記憶手段に記憶されたそれぞれの前記第１情報に対応して表示される連続する２つの前記動的表示態様に跨って１回ずつそれぞれ表示されるものであり、
前記特定判別手段は、前記事前判定手段による事前判定結果が遊技者に有利となる特典遊技が付与される事前判定結果である場合に前記特定表示態様を表示すると判別し易く構成されているものであることを特徴とする遊技機。
【請求項２】
前記表示手段は、遊技者が視認可能な位置に配置されているものであることを特徴とする請求項１記載の遊技機。
【手続補正２】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。
【手続補正３】
【補正対象書類名】明細書
【補正対象項目名】０００３
【補正方法】変更
【補正の内容】
【０００３】
このようなパチンコ機等において、複数回の変動に跨って、連続予告表示を行ってリーチ変動演出等の特定演出がその先の変動演出で行われることを事前に報知する遊技機が提案されている。
【手続補正４】
【補正対象書類名】明細書
【補正対象項目名】０００４
【補正方法】変更
【補正の内容】
【０００４】
【特許文献１】特開２０１０−２７９５６０号公報
【手続補正５】
【補正対象書類名】明細書
【補正対象項目名】０００５
【補正方法】変更
【補正の内容】
【０００５】
この種のパチンコ機等において、さらに遊技に対する興趣を向上させた遊技機が求められていた。
【手続補正６】
【補正対象書類名】明細書
【補正対象項目名】０００６
【補正方法】変更
【補正の内容】
【０００６】
本発明は、上記例示した問題点等を解決するためになされたものであり、遊技に対する興趣を向上できる遊技機を提供することを目的とする。
【手続補正７】
【補正対象書類名】明細書
【補正対象項目名】０００７
【補正方法】変更
【補正の内容】
【０００７】
この目的を達成するために請求項１記載の遊技機は、取得条件の成立に基づいて、第１情報を取得する取得手段と、その取得手段により取得された前記第１情報が記憶される判定情報記憶手段と、その判定情報記憶手段に記憶された前記第１情報を判定する判定手段と、その判定手段に判定されるよりも前に、前記判定情報記憶手段に記憶された前記第１情報に基づく事前判定を実行する事前判定手段と、その事前判定手段による事前判定結果を示す事前情報を前記取得条件の成立毎に記憶する事前情報記憶手段と、前記判定手段による判定結果を示すための識別情報が表示される表示手段と、その表示手段に前記識別情報を動的表示させる表示制御手段と、前記識別情報を前記表示手段に動的表示させる判定遊技の動的表示態様として複数の動的表示態様を記憶した動的表示態様記憶手段と、その動的表示態様記憶手段から、前記判定結果に基づいて、一の動的表示態様を決定する動的表示態様決定手段と、前記事前情報記憶手段に記憶された前記事前情報に基づいて、特定表示態様を前記表示手段に表示させる回数を決定する特定表示回数決定手段と、前記特定表示態様を表示するか否かの判別を前記事前情報に基づいて実行する特定判別手段と、を有し、前記特定表示回数決定手段は、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を決定するものであり、前記特定表示態様は、前記特定表示回数決定手段により前記回数が決定された場合に、前記判定情報記憶手段に記憶されたそれぞれの前記第１情報に対応して表示される連続する２つの前記動的表示態様に跨って１回ずつそれぞれ表示されるものであり、前記特定判別手段は、前記事前判定手段による事前判定結果が遊技者に有利となる特典遊技が付与される事前判定結果である場合に前記特定表示態様を表示すると判別し易く構成されているものである。
【手続補正８】
【補正対象書類名】明細書
【補正対象項目名】０００８
【補正方法】変更
【補正の内容】
【０００８】
請求項２記載の遊技機は、請求項１記載の遊技機において、前記表示手段は、遊技者が視認可能な位置に配置されているものである。
【手続補正９】
【補正対象書類名】明細書
【補正対象項目名】００１０
【補正方法】変更
【補正の内容】
【００１０】
請求項１記載の遊技機によれば、遊取得条件の成立に基づいて、第１情報を取得する取得手段と、その取得手段により取得された前記第１情報が記憶される判定情報記憶手段と、その判定情報記憶手段に記憶された前記第１情報を判定する判定手段と、その判定手段に判定されるよりも前に、前記判定情報記憶手段に記憶された前記第１情報に基づく事前判定を実行する事前判定手段と、その事前判定手段による事前判定結果を示す事前情報を前記取得条件の成立毎に記憶する事前情報記憶手段と、前記判定手段による判定結果を示すための識別情報が表示される表示手段と、その表示手段に前記識別情報を動的表示させる表示制御手段と、前記識別情報を前記表示手段に動的表示させる判定遊技の動的表示態様として複数の動的表示態様を記憶した動的表示態様記憶手段と、その動的表示態様記憶手段から、前記判定結果に基づいて、一の動的表示態様を決定する動的表示態様決定手段と、前記事前情報記憶手段に記憶された前記事前情報に基づいて、特定表示態様を前記表示手段に表示させる回数を決定する特定表示回数決定手段と、前記特定表示態様を表示するか否かの判別を前記事前情報に基づいて実行する特定判別手段と、を有し、前記特定表示回数決定手段は、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を決定するものであり、前記特定表示態様は、前記特定表示回数決定手段により前記回数が決定された場合に、前記判定情報記憶手段に記憶されたそれぞれの前記第１情報に対応して表示される連続する２つの前記動的表示態様に跨って１回ずつそれぞれ表示されるものであり、前記特定判別手段は、前記事前判定手段による事前判定結果が遊技者に有利となる特典遊技が付与される事前判定結果である場合に前記特定表示態様を表示すると判別し易く構成されているものである。よって、遊技に対する興趣を向上できるという効果がある。
【手続補正１０】
【補正対象書類名】明細書
【補正対象項目名】００１１
【補正方法】変更
【補正の内容】
【００１１】
請求項２記載の遊技機によれば、請求項１記載の遊技機の奏する効果に加え、前記表示手段は、遊技者が視認可能な位置に配置されているものである。よって、遊技の興趣を向上できるという効果がある。